(57)【要約】      （修正有）【課題】映像データに関連したサブデータ（テキストデータ、静止画データ、音楽データ、ＰＣデータ等）が多重されているデジタル多重映像データを記録媒体へ記録する際に、映像データのダウンコンバートを行い、記録媒体へ記録する。さらに複製禁止の映像データの場合は、映像データをダウンコンバート後、元の映像データのみを消去し、サブデータは消去しないデジタル記録再生装置を提供する。【解決手段】映像データとサブデータが多重されているデジタル多重映像データを一旦記録媒体へ一時記録し、デジタル多重映像データを記録媒体から再生し、サブデータと映像データを分離する。映像データは順次ダウンコンバートを行い、コンバートされた映像データを分離したサブコードに再度多重を行い記録媒体へ記録する。複製禁止の映像データの場合は、前記動作の後、再エンコードの元となる映像データのみを消去し、サブデータのみを残す。【選択図】図１
2006121248.tif 000002
【特許請求の範囲】
【請求項１】
入力された映像データと該映像データに関連したサブデータが多重されたデジタル多重映像データを、記録媒体へ記録するデジタル記録装置であって、
前記デジタル多重映像データを入力する手段と、
該デジタル多重映像データをサブデータと映像データに分離する手段と、
前記映像データを記録媒体へ記録する手段と、
前記映像データに関連づけて前記サブデータを記録媒体に前記映像データとは独立して記録する記録制御手段とを具備したことを特徴とするデジタル記録再生装置。
【請求項２】
入力された映像データと該映像データに関連したサブデータが多重されたデジタル多重映像データを、記録媒体へ記録するデジタル記録装置であって、
前記デジタル多重映像データを記録媒体から再生する手段と、
該デジタル多重映像データをサブデータと映像データに分離する手段と、
前記映像データの単位時間あたりの映像データ量を減量するダウンレート手段と、前記ダウンレートした映像データを記録媒体へ記録する手段と、
前記ダウンレートした映像データに関連づけて前記サブデータを記録媒体に前記映像データとは独立して記録する記録制御手段とを具備したことを特徴とするデジタル記録再生装置。
【請求項３】
映像データと該映像データに関連したサブデータが多重されたデジタル多重映像データを記録媒体へ記録するデジタル記録装置であって、
前記デジタル多重映像データ記録媒体から再生する手段と、
該デジタル多重映像データをサブデータと映像データに分離する手段と、
前記映像データの単位時間あたりの映像データ量を減量するダウンレート手段と、前記ダウンレートした映像データに前記サブデータを再多重するデータ多重手段と、
前記再多重されたデジタル多重映像データを前記記録媒体へ記録する手段とを具備したことを特徴とするデジタル記録再生装置。
【請求項４】
映像データと該映像データに関連したサブデータが多重されたデジタル多重映像データを第一の記録媒体へ記録するデジタル記録装置であって、
前記デジタル多重映像データを第一の記録媒体から再生する手段と、
該デジタル多重映像データをサブデータと映像データに分離する手段と、
前記映像データの単位時間あたりの映像データ量を減量するダウンレート手段と、前記ダウンレートした映像データを第二の記録媒体へ記録する手段と、
前記ダウンレートした映像データに関連づけて前記サブデータを前記第一の記録媒体と前記第二の記録媒体に記録する手段と、
前記第一の記録媒体に前記サブコードデータが記録完了を検出する手段と
前記検出手段に応じて第一の記録媒体からデジタル多重映像データを消去する手段とを具備したことを特徴とするデジタル記録再生装置。
【請求項５】
映像データと該映像データに関連したサブデータが多重されたデジタル多重映像データを第一の記録媒体へ記録するデジタル記録装置であって、
前記デジタル多重映像データを第一の記録媒体から再生する手段と、
該デジタル多重映像データをサブデータと映像データに分離する手段と、
前記分離した映像データを第二の記録媒体へ記録する手段と、
前記映像データに関連づけて前記サブデータを前記第一の記録媒体と前記第二の記録媒体に記録する手段と、
前記第一の記録媒体に前記サブコードデータが記録完了を検出する手段と、
前記検出手段に応じて第一の記録媒体からデジタル多重映像データを消去する手段とを具備したことを特徴とするデジタル記録再生装置。
【請求項６】
入力された映像データと該映像データに関連したサブデータが多重されたデジタル多重映像データを、記録媒体へ記録するデジタル記録装置であって、
前記デジタル多重映像データを入力する手段と、
該デジタル多重映像データをサブデータと映像データに分離する手段と、
前記映像データを記録媒体へ記録する手段と、
前記映像データに関連づけて前記サブデータを記録媒体に前記映像データとは独立して記録する記録制御手段と、
前記サブデータからサブデータ情報を検出する手段と、
該情報検出結果に応じて前記サブデータを一部変更する制御手段とを具備したことを特徴とするデジタル記録再生装置。
【請求項７】
請求項６記載のデジタル記録再生装置において、
前記サブデータ情報は、該サブデータのデータ自動消去を示すタイムデータであって、該タイムデータに応じて前記サブデータを自動消去するデータ消去制御手段を具備したことを特徴とするデジタル記録再生装置。
【請求項８】
請求項６記載のデジタル記録再生装置において、
前記サブデータ情報は、該サブデータのデータを一部改変するタイムデータであって、該タイムデータに応じて前記サブデータを一部改変するデータ改変制御手段を具備したことを特徴とするデジタル記録再生装置。
【発明の詳細な説明】
【技術分野】
【０００１】
この発明は、ＭＰＥＧをはじめとする圧縮された映像データと該映像データに関連したサブデータからなるデジタル多重映像データをハードディスク、光ディスクなどの記録媒体へ記録し再生するデジタル記録再生装置に関する。
【背景技術】
【０００２】
近年、映像データ処理技術の進歩に伴い、映像信号や音声信号のディジタル信号を、例えばハードディスクや光ディスクへ記録し再生する記録再生装置が開発されている。映像データは情報量が多いため、上記のようなディスク状記録媒体に映像データを記録する際は、映像データを圧縮符号化することが行われている。
映像データを圧縮符号化する方法として例えばＭＰＥＧをはじめとする符号化方法が知られている。
【０００３】
ハードディスクや光ディスク等に、これらの圧縮符号化方法により映像データを記録する場合、通常ユーザが選択した圧縮率やビットレートなどで記録を行なうことで、ユーザ要求に適した効率よい記録を行うことができる。
【０００４】
一方、テレビ放送は従来のアナログテレビ放送の信号より高画質の映像、高音質な音声の伝送が可能なデジタルテレビジョン放送という形で商用化が進んでいる。デジタルテレビ放送は、伝送チャンネル数も多く、さらにデータ伝送量も２５Mbpsと高く、映像データ以外に、サブデータも映像信号にデータ多重されて配信されると予想される。前記サブデータは、例えば、前記映像データ（番組）に関連した情報信号、静止画、音声信号、ゲーム、パソコンプログラム、ホームページデータなど多彩なデータを配信することができる。
【０００５】
現在テレビジョン受信機は、映像データを受信し表示する装置が大半であるが、パソコンとテレビジョン受信機を複合したパソコンテレビが普及しつつある。
パソコンテレビでは、前記サブデータを有効に活用することができ、今後前記サブデータ多重配信と共に将来期待される分野である。
【０００６】
しかしながら、サブデータと映像データは多重されて配信されるために、それぞれのデータを独立に扱うことが困難である。例えば、映像データを再エンコードし情報量を低減する操作、あるいはサブデータを独立に切り出して持ち出す操作、あるいは、サブデータの期日による一部改変あるいは消去などの操作は不可能であった。
【０００７】
なお、従来技術の特許文献として、特許文献１がある。
【０００８】
【特許文献１】特開平７−７５０５０号公報
【発明の開示】
【発明が解決しようとする課題】
【０００９】
本発明は上記の問題に鑑み、サブデータと映像データが多重されたデジタル多重映像データに対して、該映像データの再エンコード処理、該サブデータの一部改変、該映像データのデータ移動、データ複写を実現するデジタル記録再生装置を提供することを目的とする。
【課題を解決するための手段】
【００１０】
本発明は前記課題を解決するために、映像データと該映像データに関連したサブデータが多重されたデジタル多重映像データを記録媒体へ記録するデジタル記録装置であって、前記デジタル多重映像データを入力する手段と、該デジタル多重映像データをサブデータと映像データに分離する手段と、前記映像データを記録媒体へ記録する手段と、前記映像データに関連づけて前記サブデータを記録媒体に前記映像データとは独立して記録する記録制御手段を備えた。
【００１１】
また、前記デジタル多重映像データを記録媒体から再生する手段と、該デジタル多重映像データをサブデータと映像データに分離する手段と、前記映像データの単位時間あたりの映像データ量を減量するダウンレート手段と、前記ダウンレートした映像データを記録媒体へ記録する手段と、前記ダウンレートした映像データに関連づけて前記サブデータを記録媒体に前記映像データとは独立して記録する記録制御手段を備えた。
【００１２】
また、前記デジタル多重映像データ記録媒体から再生する手段と、該デジタル多重映像データをサブデータと映像データに分離する手段と、前記映像データの単位時間あたりの映像データ量を減量するダウンレート手段と、前記ダウンレートした映像データに前記サブデータを再多重するデータ多重手段と、前記再多重されたデジタル多重映像データを前記記録媒体へ記録する手段を備えた。
【００１３】
また、前記デジタル多重映像データを第一の記録媒体から再生する手段と、該デジタル多重映像データをサブデータと映像データに分離する手段と、前記映像データの単位時間あたりの映像データ量を減量するダウンレート手段と、前記ダウンレートした映像データを第二の記録媒体へ記録する手段と、前記ダウンレートした映像データに関連づけて前記サブデータを前記第一の記録媒体と前記第二の記録媒体に記録する手段と、前記第一の記録媒体に前記サブコードデータが記録完了を検出する手段と前記検出手段に応じて第一の記録媒体からデジタル多重映像データを消去する手段を備えた。
【００１４】
また、前記デジタル多重映像データを第一の記録媒体から再生する手段と、該デジタル多重映像データをサブデータと映像データに分離する手段と、前記分離した映像データを第二の記録媒体へ記録する手段と、前記ダウンレートした映像データに関連づけて前記サブデータを前記第一の記録媒体と前記第二の記録媒体に記録する手段と、前記第一の記録媒体に前記サブコードデータが記録完了を検出する手段と前記検出手段に応じて第一の記録媒体からデジタル多重映像データを消去する手段を備えた。
【００１５】
また、前記デジタル多重映像データを入力する手段と、該デジタル多重映像データをサブデータと映像データに分離する手段と、前記映像データを記録媒体へ記録する手段と、前記映像データに関連づけて前記サブデータを記録媒体に前記映像データとは独立して記録する記録制御手段と、前記サブデータからサブデータ情報を検出する手段と、該情報検出結果に応じて、前記サブデータを一部変更する制御手段を備えた。
【００１６】
また、前記サブデータ情報は、該サブデータのデータ自動消去を示すタイムデータであって、該タイムデータに応じて前記サブデータを自動消去するデータ消去制御手段を備えた。
また、前記サブデータ情報は、該サブデータのデータを一部改変するタイムデータであって、該タイムデータに応じて前記サブデータを一部改変するデータ改変制御手段を備えた。
【発明の効果】
【００１７】
映像データと該映像データに時間軸上で関連するサブデータとが多重されたデジタル多重映像データをそれぞれ記録媒体へ独立して記録することができる。
【発明を実施するための最良の形態】
【００１８】
発明の実施の形態について図面を参照して説明する。
【実施例１】
【００１９】
図１は本発明の第１の実施の形態の記録再生装置を示す図である。図１において、入力端子１はデジタル映像信号入力端子である。該入力端子へ入力される信号は、映像データと該映像データに関連するサブデータ（例えば、テキストデータ、静止画データ、音声データ、パソコンプログラムデータ、インターネットなどのホームページなどを記載したHTMLデータなど）が多重されたデジタル多重映像データが、地上波デジタルテレビジョン放送あるいはブロードバンド高速データにより配信されるものである。
【００２０】
前記デジタル多重映像データについて図７、図８を用いて説明する。
図７は、デジタル多重映像データのストリーム配信形態の一例を示す図である。地上波デジタル放送は、搬送波を現行のＵＨＦ放送周波数帯域を利用して、デジタル映像を伝送する。ＵＨＦ放送周波数帯域は、６ＭＨｚの伝送帯域を持たせており、この帯域に２５Ｍｂｐｓ程度の映像データを搬送させることができる。
【００２１】
例えば、現行のアナログ放送並（SDTV）の映像画質であれば、6Mbps程度であり、前記フルデータ帯域の残りの19Mbpsに、前記サブデータを搬送することができる。サブデータの種類により、比較的データ量のすくないテキストデータ、静止画データ、音声データなどは、大量の情報を搬送することができる。また、パソコンなどのプログラムデータであっても十分な伝送帯域である。さらにサブデータを専用に搬送する方法として、映像データの搬送帯域分を全てサブデータの配信にすることにより、全帯域（最大で２５Ｍｂｐｓ）にサブデータを搬送することも可能である。この場合、大半がパソコンなどのプログラムデータとなるケースが多い。
【００２２】
本実施例では、一番活用のある、映像データにリアルタイムで関連するサブデータの伝送を例に取り上げて動作説明を行うが、上記サブデータの形態であってもよい。図７に２つデータ搬送形態を示す。（A）の搬送形態は、映像データを所定データサイズ（パケット）に分割し、該パケット毎にサブデータを分割して付加し、搬送する形態である。
【００２３】
本実施例で扱うサブデータは、リアルタイムに映像を見ながら、例えば該映像に関連した情報、具体例をあげれば、野球中継などにおいて、該野球選手のプロフィールデータ（静止画、テキストデータなど）を映像にリンクして自動的に画面に表示する場合、あるいは料理番組に進行にリンクして、食材の情報をテキストとして表示さらには、その料理を実際に扱っているお店のホームページのアドレスリンク先などである。本実施例では、映像の進行時刻にリンクしてサブデータが表示、動作するところに特徴がある。
【００２４】
したがって、映像を図７の（A）に示す形態に所定パケットサイズ毎に、関連するサブデータを多重させることにより、前記リンクを容易とする構成としている。
【００２５】
また図７の（２）に示すデータ搬送形態は、複数の映像パケットに対してサブデータを付加する形態である。サブデータが、テキストデータ、静止画データなどの比較的データ量が少なくてよい場合は、関連する映像シーン分に相当する映像データに対して一括してサブデータを付加する方法が効率がよい。いずれの配信方法であってもよく、また図７に示すような、映像データパケットに対して均等にサブデータを付加する必要はない。ただし、映像データに関連させてサブデータを活用することから、当該映像データより時間軸が前にサブデータが多重されていればよい。
【００２６】
次に、映像データと該サブデータのリンクの一例について図８を用いて説明する。図８は、映像データに対するサブデータのリンク構造を示す。映像データは、映像シーンというブロックで表示している。映像シーンは、番組毎に異なるものであり、これが時間軸T１〜Tnという時間で管理される。T2の時間を選択すれば、シーン２へ映像を移動することができる。一方サブデータは、前記時間軸T1〜Tnに関連して、呼び出され、表示する。例えば、映像シーン１は、テキストデータが呼び出され、映像シーン２は、静止画データが呼び出され、シーン３はPCデータが呼び出され、シーンｎでは音声データがよびだされる。
【００２７】
本実施例では説明の都合上、映像データの入力部は、地上波デジタルテレビジョン放送を例に説明を行っているが、これに限定することはなく、例えば光ケーブル、同軸ケーブルなどの高速データ通信線によるデータ配信においても本実施例のデータ入力部は有効である。
【００２８】
本実施例では、映像データとサブデータが多重されている形態のデジタル多重映像データを記録媒体（例えばハードディスクなど）へ、それぞれ前記サブデータと映像データを分離して記録する構成について図１を用いてその動作説明をする。端子１から前記のデジタル多重映像データが複数の搬送波により伝送されてくる。デジタルチューナ２は、複数の搬送波からユーザが希望する搬送波をチャンネル選択入力端子３により選択、いわゆるテレビジョン放送のチャンネル操作する。
【００２９】
希望する搬送波が選択されると、デジタルチューナは、デジタル多重映像データ信号に復調し、データ分離部４へ入力する。復調されたデジタル多重映像データは、例えば図７−１の（A）、（B）に示すデータ並びであって、所定長のパケットに映像データを分割して（映像データ１−１）、（映像データ１−２）、（映像データ１−ｎ）、該映像データに関連したサブデータが（SUB1-1）、（SUB1-2）、（SUB１−ｎ）それぞれ織り込まれている形態（A）、あるいは、所定長のパケットの映像データが複数連続した（映像データ１−１）、（映像データ１−２）、（映像データ１−３）、（映像データ１−ｎ）のブロックに対して、該間連するサブデータ（SUB1）をまとめた形で折込形態（B）などがデータ分離部４へ入力される。
【００３０】
前記映像データ、サブデータには、（図示していない）それぞれの属性を示す属性データがデータのトップに付加してあり、データ分離部は当該属性データを判別して、映像データとSUBデータを分離する。さらに当該映像データが引用するサブデータのリンク先を示すデータ（SUBLINKデータ）を生成し、時分割記録部へそれぞれ入力する。時分割記録部は、前記３つのデータを独立した形態でハードディスクへ記録を行う。ハードディスクなどの記録媒体の記録は、一度に記録できるチャンネルが１つだけ（WR1)であるため、複数のデータを一度に記録する場合は、それぞれのデータを時分割にて記録する。
【００３１】
ここでハードディスクの記録能力は、単位時間（データレート）あたりたとえば４０MB／秒の能力を備えており、記録すべきデータが例えばそれぞれ、映像データのデータレートが９．８Mbps、サブデータのデータレートが８Mbps、SUBLINKデータのデータレートが０．８Mbpsの合計でデータレートが該ハードディスクの記録データレート能力以下であれば、複数のデータを並列記録することができる。ハードディスク６には、SUBLINKデータ、映像データ、SUBデータがそれぞれ独立（独立したファイルとして）して記録されている。
【００３２】
次に再生動作について同図を用いて説明する。入力端子１０２より、ユーザが再生を希望するコンテンツ（番組）を選択指示を再生制御部１０１へ入力する。再生制御部は、当該コンテンツに対応するSUBLINKデータの読み出しを再生制御部１０１が時分割再生部７に対して読み出しを開始させる。読み出されたSUBデータは、Subデータ制御部１０へ入力される。Subデータ制御部１０は、当該コンテンツに関連しているすべてのデータである映像データとSubデータの必要性を判断し、再生制御部１０１へ映像データとSubデータの読み出し指示を入力する。
【００３３】
再生制御部１０１は、映像データとSubデータの読み出しを時分割再生部７に対してハードディスク６からの読み出しを開始させる。映像データは、動画デコード部８に入力され、元の映像信号にデコードし、端子１００より出力する。一方動画デコード部８から時間情報を抽出するため、映像データを時間情報抽出部９へ入力する。時間情報抽出部９は、映像データに対する時間データ（タイムコード）を検出する。タイムコードは、映像の毎フレームに対応して付加されている。
【００３４】
サブデータは、映像データに比較してデータ容量が少ない場合が多いことから、Subデータキャッシュ部へまとめて読み出しが行われ、データが蓄積される。これは、映像データに対応して、データサイズの小さいサブデータを逐次ハードディスクへ読み出しを行っていたのでは、ハードディスクの時分割再生時におけるハードディづくのSEEK動作が頻繁に行われてしまい、データ読み出しのパフォーマンスの低下を低減するためである。
【００３５】
前記蓄積されたSubデータは、映像データの再生に対応してリアルタイムでSubデータを各サブデータデコード部へ出力する。
SubLinｋデータは、Subデータ制御部１０により前記タイムコードの時刻経過に応じて、該サブデータのリンクタイミングを検出し、SubLinkデータが指示する映像時刻が検出されると、Subデータキャッシュ部に当該映像データに対応するSubデータの出力指示が行われる。
【００３６】
Subデータが、静止画データであれば、静止画デコード部１２にて静止画データがデコード処理され、端子１６より元の静止画データが出力される。この静止画は、前記映像信号と同一モニタ（図示していない）画面に表示されてもよいし、あるいは、独立したモニタ画面上に表示されてもよい。
【００３７】
また、Subデータがテキストデータであれば、テキストデコード部１３にてテキストデータがデコード処理され、端子１７より元のテキストデータが出力される。このテキスト（文字情報）は、前記映像信号と同一モニタ（図示していない）画面に表示されてもよいし、あるいは独立したモニタ画面上に表示されてもよい。
【００３８】
また、Subデータが音声データであれば、音声デコード部１４にて音声データがデコード処理され、端子１７より元の音声データが出力される。この音声データとは、前記映像データに関連した、サブ音声データであって、例えば、前記テキストデータの読み上げ音声などがある。デコードされた音声信号は出力端子１８から出力される。
【００３９】
また、SubデータがPCプログラムデータであれば、PCプログラムデコード部１５にてデコード処理がなされ、端子１９より出力される。端子１９はパソコンインターフェース、例えばLAN端子、USB端子などの端子であって、パソコンと接続される。サブデータとして本実施例であげた以外のものであってもよく、前記サブデータに限定されることはない。
【００４０】
以上、本実施例によれば、映像データと該映像データに時間軸上で関連するサブデータとが多重されたデジタル多重映像データをそれぞれ記録媒体へ独立して記録することができる。独立して記録することにより、サブデータを独立して活用することができる。また前記独立に記録した場合においても、映像データと時間軸でリンクできる構成とすることにより、リアルタイムにて映像データとサブデータを出力することができる効果は大である。
【実施例２】
【００４１】
次に第二の実施例について図２を用いて動作の説明をする。
図２は本発明の第２の実施の形態の記録再生装置を示す図である。図２において、前記図１と同一機能ブロックの動作説明は省略する。
前記映像データのデータレートは、配信側により決定されているものである。しかしながら、デジタル記録再生装置における記録媒体は有限であり、効率よい記録が望まれる。具体的な例で説明すれば、映像データのデータレートが９．８Mbpsで配信されているが、ユーザは、当該コンテンツに対して高画質は望まなく、長時間記録を希望するケースがある。ユーザは前記映像データを例えば半分にダウンコンバートして記録を希望する場合がある。
【００４２】
従来、映像データだけの配信の場合は、ダイレクトにダウンコンバートが介在させて映像データのデータレートを半分にできていたが、前記のようなサブデータが多重されている場合はダイレクトにダウンコンバートすることができない。そこで本実施例では、前記デジタル多重映像データを映像データとサブデータに分離させた後の映像データに対してダウンコンバート（再エンコード処理）をおこなう構成としている。以下その動作を図２を用いて説明する。
【００４３】
データ分離部４により、分離された映像データは、再エンコード部２２へ入力される。ユーザは入力端子２０より希望するダウンコンバードレベルを指定し、エンコードパラメータ設定制御部２１へ入力する。エンコードパラメータ設定制御部２１は、ダウンコンバードパラメータである画角サイズ、映像圧縮率、動きベクトル冗長データなどを再エンコード部２２へ入力する。再エンコード部２２は、順次入力される映像データをダウンレート処理を行い、再圧縮映像データとして時分割記録部５へ入力する。以下の動作は前記第一の実施例と同様である。
【００４４】
以上、本実施例によれば、サブデータが多重されたデジタル多重映像データであっても、映像データに対してダウンレート処理を行うことができ、ハードディスクへ効率よく記録することができる。さらには、ダウンレートした映像データに対しても、サブデータをリンク再生することができる効果は大である。
【実施例３】
【００４５】
次に第三の実施例について図３を用いて動作の説明をする。
図３は本発明の第３の実施の形態の記録再生装置を示す図である。図３において、前記図１、図２と同一機能ブロックの動作説明は省略する。
本実施例は、サブデータが多重されたデジタル多重映像データを、前記映像データに対してダウンレートコンバートを行った後、再度サブデータをダウンレート処理された映像データにデータ多重し、該多重された（ダウンレート）デジタル多重映像データを記録媒体へ記録するものである。
【００４６】
前記実施例では、ハードディスクへサブデータと映像データを独立した形態にて記録したが、本実施例では、配信側と同一形態で記録する構成とした。
データ分離部４により映像データとSUBデータとに時間軸上でサブデータへリンクするSUBLINKデータが分割されそれぞれ映像データSubデータ多重部３１へ入力される。映像データは、ユーザの希望するダウンレートされた再圧縮映像データが、映像データSubデータ多重部３１へ入力される。
【００４７】
映像データSubデータ多重部３１は、SubLink制御部により、再圧縮データの実時間軸に対応するSUBデータのリンク指示をSubLinkデータを元に検出し、前記再圧縮映像データを所定長毎に分割（パケット）し、該分割したパケットデータにSubデータを多重し、１系統のデータを記録制御部５へ入力する。記録制御部５は、前記１系統のデータを（WR1）としてハードディスク６へ記録する。
【００４８】
図３−１に本実施例によるダウンレートされたデジタル多重映像データのデータ構造を示す。オリジナルのデータ列は、配信されてくるデータ列を示す。ダウンレートのデータ列は、サブデータ（SUB1-1,SUB1-2）は、オリジナルと同じデータであり、映像データ（映像データ１−１、映像データ１−２）のみが、時間軸上で圧縮された状態である。
【００４９】
映像データが実時間上圧縮されたことにより、サブデータの映像データに対するリンク時刻が変動することを低減するために、本実施例では、オリジナルに比較して、ダウンレートした映像データのパケットサイズをダウンレート比率に対応し、変更（小さく）する様、パケット長を設定している。こうすることにより、映像データのダウンレートによるサブデータのリンク時刻を低減することができる。
【００５０】
以上、本実施例によれば、デジタル多重映像信号の映像データに対してユーザの希望に応じてダウンレートコンバートを行い、記録するデータの形態を前記デジタル多重映像データとして記録媒体へ記録すことができ、ハードディスクを効率よく使用することができる効果は大である。
【実施例４】
【００５１】
次に第四の実施例について図４を用いて動作の説明をする。
図４は本発明の第４の実施の形態の記録再生装置を示す図である。図４において、前記図１、図２と同一機能ブロックの動作説明は省略する。
本実施例は、配信される映像データが複製禁止である場合に適用されるものであり、ハードディスクへ記録された映像データを、ダウンレートコンバードを行い、該コンバートされた映像データをリムーバブル記録媒体（光ディスク）へ記録する場合を例にあげその動作を説明する。
【００５２】
時分割再生部７により再生される映像データは、配信側と同じデータレートの映像データである。該映像データをユーザの希望するデータレートにダウンレートコンバート処理を再エンコード部２２にて行い、ダウンレートコンバートされた映像データは光Disk記録部４０へ入力される。リムーバブル記録媒体として本実施例では光ディスクを例に挙げて説明するが、すくなくとも、ハードディスク６と異なる記録媒体へ前記ダウンレートコンバートされた映像データが記録される場合も本実施例は同様に適用される。
【００５３】
記録型光Disk４１は、光Disk記録部により順次映像データを記録する。光Disk記録部４０は、前記映像データのパケット長に相当する映像データ分の再エンコードされた映像データを単位としたサイズの映像データ毎に連続記録を行った後、該記録した映像データを再生し（ベリファイ）動作を、光Disk再生部４３により行う。
【００５４】
読み出された前記所定サイズで映像データは、データ比較部４２にて前記記録した映像データを再エンコード部２２から入力データと比較（コンペア）される。映像データが確実に記録されていることを前記ベリファイ動作、コンペア動作を通じて確実に行う。データ比較部４２により、所定サイズの映像データが光ディスクへ確実に記録されたことを検出すると、データ消去部１１０へ、前記所定サイズで映像データの記録完了信号が入力される。
【００５５】
データ消去制御部１１０は、前記記録完了信号を検出すると、再エンコードされ光ディスクへ記録された映像データの実時間に対応するパケットデータ分のオリジナルの映像データをハードディスク６よりデータ消去を行う。以上の動作により、オリジナルの映像データをダウンレートコンバートして光ディスクへ映像データの移動を行うことができる。ハードディスク６には、SUBLINKデータおよびSUBデータは残っているので、例えばSUBデータがPCプログラムデータである場合など、継続して使用することができる。
【００５６】
さらに、本実施例では、ダウンレートコンバートを行うケースについて動作の説明を行ったが、ダウンレートコンバートをしないで、オリジナルの映像データを光ディスクへ記録するようにしてもよい。図５にその構成ブロック図を示す。
構成は図４と同じであり、映像データを再エンコードしないで、光ディスク４１へ記録する構成である。
【００５７】
以上の実施例によれば、映像データが複製禁止である場合において映像データあるいはダウンレートコンバートした映像データをリムーバブル記録媒体あるいは、ハードディスク６とは異なる別の記録媒体へ記録し、該記録を行った部分に対応するオリジナルの映像データ部位をハードディスク６から消去するいわゆる映像データのムーブを行うことができる。
【００５８】
さらに、該映像データに関連するSUBデータは、ハードディスク６に残されているので、SubLinkデータよりSUBデータを引用して出力することができる。さらには、SUBデータがPCプログラムデータである場合は、パソコンにより端子１９より該SUBデータを活用することができるなどの効果は大である。
【実施例５】
【００５９】
次に第５の実施例について図６を用いて動作の説明をする。
図６は本発明の第５の実施の形態の記録再生装置を示す図である。図６において、前記図１、図２と同一機能ブロックの動作説明は省略する。
本実施例は、映像データにリンクするサブデータの時間経過により出力あるいは機能に制限を与えることを実現する。具体例をあげて説明する。
【００６０】
サブデータは映像データと同じで無料、あるいは映像データに含まれて課金されるものである。しかし、サブデータがコマーシャルの場合は、該コマーシャル情報が記録された場合は、期限にかかわらず静止画、テキストデータ他のサブデータさ出力されてしまう。コマーシャル配信メーカ側としては好都合ではあるが、別のコマーシャルメーカ側としては都合が悪い。
【００６１】
また別の具体例では、サブデータがパソコンなどのプログラムデータである場合、該パソコンプログラムの拡販目的で機能制限が日時経過により制御されるケースがある。あるいは、日時経過により一部機能制限かかかるケースもある。あるいは、日時経過により、プログラム全体が読み出しできなくするケースもある。
【００６２】
本実施例の端子１９は、パソコンと接続して使用するが、パソコンへのプログラム転送をSubデータ部１０が制限するように動作してあって、すくなくとも、外部に接続されたパソコンは、ハードディスク６、PCプログラムデコード部１５を通して、サブデータのPCプログラムデータをアクセスするように限定されている。
【００６３】
以上の機能を実現するために、本実施例は、Subデータ制御ブ１０は、SUBデータに有効期限情報が記録されている場合は、SubLinデータより当該SUBデータの有効日時を読み取る。一方絶対日時は、時計データ生成部１０３からSubデータ制御部へ入力され、前記有効日時との比較が行われる。該比較結果、SUBデータの有効日時が経過している場合は、Sub制御部１０は、それぞれのサブデータに対応して有効日時検出毎にSubデータのデコードブロック（静止画でコード部１２、TXTデコード部１３、音声デコード部１４、PCプログラムデコード部）毎に使用機能制限（ここではサブデータ出力を停止する）信号（INHIBIT）を入力する。
【００６４】
このようにすることにより、INHIBIT信号が入力されたデコード部は、出力端子へサブデータを出力しなくなる。本実施例では、サブデータの有効日時を検出する毎にサブデータ出力を停止させる構成で説明したが、例えばハードディスク６内の当該サブデータを消去するようにしてもよい。あるいは、ハードディスク６内部の当該サブデータを一部改変するようにしてもよい。
【００６５】
以上本実施例によれば、映像データに関連したサブデータに対し、サブデータに含まれる当該サブデータの有効日時情報に応じて、ハードディスクへ記録したサブデータの出力制限、例えば日時により出力を停止させるあるいは、サブデータの一部機能制限を行うことにより、サブデータを配信する側のコマーシャル利用のパフォーマンスを拡大できる効果がある。
【図面の簡単な説明】
【００６６】
【図１】本発明の第１の実施の形態の記録再生装置を示すブロック図。
【図２】本発明の第２の実施の形態の記録再生装置を示すブロック図。
【図３】本発明の第３の実施の形態の記録再生装置を示すブロック図。
【図４】本発明の第４の実施の形態の記録再生装置を示すブロック図。
【図５】本発明の第４の実施の形態の変形例の記録再生装置を示すブロック図。
【図６】本発明の第５の実施の形態の記録再生装置を示すブロック図。
【図７】デジタル多重映像データのストリーム配信形態の一例を示す図。
【図８】映像データと該サブデータのリンクの一例を示す図。
【符号の説明】
【００６７】
２…デジタルチューナ部、    ３…チャンネル選択入力端子、
４…データ分離部、    ６…ハードディスク、    ７…時分割再生部、
８…動画デコード部、    ９…時間情報抽出部、    １０…Subデータ制御部、
１２…静止画デコード部、    １３…テキストデコード部、
１４…音声デコード部、    ２１…エンコードパラメータ設定制御部、
２２…再エンコード部、    ３１…Subデータ多重部、    ４０…光Disk記録部、
４１…記録型光Disk、    ４２…データ比較部、    ４３…光Disk再生部、
６７…コンテンツ選択消去制御部、    １０１…再生制御部、
１０３…時計データ生成部、    １１０…データ消去部部
【図１】
2006121248.tif 000003
【図２】
2006121248.tif 000004
【図３】
2006121248.tif 000005
【図４】
2006121248.tif 000006
【図５】
2006121248.tif 000007
【図６】
2006121248.tif 000008
【図７】
2006121248.tif 000009
【図８】
2006121248.tif 000010